(57)【要約】【課題】センサー及びモータが付いていて所定距離内への人の接近如何により、その立てになり且つ互いに回転可能な入れ子管関係となっている第１の本体と第２の本体との互いに重なっている部分にそれぞれ形成してあるごみ入れ開口の互いに重なるか否かにより、自動的に開閉することができる自動開閉型ごみ箱を提供すること。【解決手段】互いに回転可能な入れ子管関係となっており、且つそれらの互いに重なっている部分にそれぞれ回転により互いに重なるごみ入れ開口が形成してある筒状の第１の本体と第２の本体がとからなり、及び、第１の本体と第２の本体のうちの一つの本体は、センサーの所定距離内への人の接近を感知したことにより始動するように構成されたモータと、所定距離内へ人の接近時にモータの始動により元の第１位置からごみ入れ開口が互いに重なる第２位置まで前記一つの本体を回転可能に連結される。【選択図】図１
0003125932.tif 000002
【実用新案登録請求の範囲】
【請求項１】
互いに回転可能な入れ子管関係となっており、且つそれらの互いに重なっている部分にそれぞれ回転により互いに重なるごみ入れ開口が形成してある筒状の第１の本体と第２の本体とからなっており、及び
前記第１の本体と第２の本体のうちの一つの本体は、センサーの所定距離内へ人の接近を感知したことにより始動されるように構成されたモータと、所定距離内へ人の接近時に前記モータの始動により元の第１位置から前記ごみ入れ開口が互いに重なる第２位置まで、前記一つの本体を回転させることができるように連結されていることを特徴とする自動開閉型ごみ箱。
【請求項２】
前記モータは、更に、前記のように始動して前記一つの本体を第２位置まで回転させた状態で、所定距離内へ人の接近が無くなってから所定時間経つと、再び始動し、前記一つの本体を回転させて元の第１位置まで戻すことができるように構成されることを特徴とする、請求項１に記載の自動開閉型ごみ箱。
【請求項３】
前記第１の本体及び前記第２の本体は何れも自身の軸線が直立状態になされており、
前記第１の本体は、
自身の上端面だけが開いている台座と、
自身の下端面が開口している上、自身の上端面及び周面それぞれの一部に互いに連続して前記ごみ入れ開口の一つとなった開口を有し、且つ前記下端面開口が上から前記台座と分離できるように結合した蓋と、からなっており、
前記第２の本体は、前記第１の本体の筒内に同軸に回転可能に内嵌されており、且つ、自身の上端面及び周面それぞれの一部に互いに連続して前記ごみ入れ開口の他の一つとなった開口を有し、及び
前記モータは、前記第２の本体と連結されることを特徴とする、請求項１または請求項２に記載の自動開閉型ごみ箱。
【請求項４】
前記モータは、前記蓋の上端面の中心近くで、自身の回転軸が下方へ突出して前記第２の本体の上端面の中心近くへと繋がるように設置されていることを特徴とする、請求項３に記載の自動開閉型ごみ箱。
【請求項５】
前記第１の本体及び前記第２の本体の軸線は何れも直立状態になされており、
前記第１の本体は、台座となり、且つその上端面及び周面それぞれの一部だけに互いに連続して前記ごみ入れ開口の一つとなった開口を有し、
前記第２の本体は、自身の下端面が開口している上、自身の上端面及び周面それぞれの一部に互いに連続して前記ごみ入れ開口の他の一つとなった開口を有し、且つ前記下端面開口により上から前記台座と回転できるように外嵌されており、及び
前記モータは、前記第２の本体と連結されることを特徴とする、請求項１または請求項２に記載の自動開閉型ごみ箱。
【請求項６】
前記モータは、前記第１の本体の上端面の中心近くで、自身の回転軸が上方へ突出して前記第２の本体の上端面の中心近くへと繋がるように設置されていることを特徴とする、請求項５に記載の自動開閉型ごみ箱。
【考案の詳細な説明】
【技術分野】
【０００１】
本考案は、ごみ箱に関し、特にセンサー及びモータがついていて所定距離内へ人の接近如何により、自動的に開閉することができる自動開閉型ごみ箱に関する。
【背景技術】
【０００２】
従来、赤外線センサーの感知及びモータの駆動により所定距離内への人の接近時に蓋の開閉を自動的に行うことができるごみ箱がすでに知られている（特許文献１参照）。この自動開閉蓋付きごみ箱では、汚れた蓋を手で開けるときの抵抗感をなくすこともでき、捨てるごみで蓋が汚れることを実質的に防止することもできる。
【特許文献１】実用新案第平０７−９８０６号公報
【考案の開示】
【考案が解決しようとする課題】
【０００３】
しかしながら、前記ごみ箱における自動開閉蓋は、自身の一端縁がごみ箱本体の頂面形成してある開口の一側縁に設置された軸に上下開閉できるように枢支されているので、前記軸に対し“てこ”になり、完全な閉状態を除き、この“てこ”の作用により増大した荷重が常に軸、軸とモータとの間の連動機構、ないしモータに掛かり、損傷し易い、という欠点がある。
【０００４】
本考案の目的は、前記欠点のない自動開閉型ごみ箱を提供することである。
【課題を解決するための手段】
【０００５】
上記目的を達成するために、本考案は、互いに回転可能な入れ子管関係となっており、且つそれらの互いに重なっている部分にそれぞれ回転により互いに重なるごみ入れ開口が形成してある筒状の第１の本体と第２の本体とからなり、及び、第１の本体と第２の本体のうちの一つの本体は、センサーが所定距離内への人の接近を感知したことにより始動するように構成されたモータと、所定距離内への人の接近時にモータの始動により元の第１位置からごみ入れ開口が互いに重なる第２位置まで、前記一つの本体を回転可能に連結されることを特徴とする自動開閉型ごみ箱を提供する。
【０００６】
前記構成においては、モータは、更に、前記のように始動して前記一つの本体を第２位置まで回転させた状態で、所定距離内へ人が接近してから所定時間経つと、再び始動し、前記一つの本体を回転させて元の第１位置まで戻すことができるように構成されることが好ましい。
【考案の効果】
【０００７】
前記構成の自動開閉型ごみ箱は、互いに回転可能な入れ子管関係となっている第１の本体と第２の本体とが互いに重なっている部分にそれぞれ形成してあるごみ入れ開口が互いに重なるか否かにより開閉するので、従来のような“てこ”型蓋がなく、自身の軸などに掛かる荷重はてこの作用によって増大しない。
【考案を実施するための最良の形態】
【０００８】
以下、本考案の好適な実施例を図面を参照して説明する。
【０００９】
図１と図２は異なる視角からみた本考案の自動開閉型ごみ箱１００の一実施例の分解斜視図である。
【００１０】
図示のように、この例の自動開閉型ごみ箱１００は、主として、第１の本体１０と、第２の本体２０と、モータ３０と、センサー４０と、からなっている。
【００１１】
第１の本体１０は、自身の軸線が直立状態になっている筒状のものであって、上下２部分に分けられている。下の部分は、その上端面だけが開いている台座１０１であり、上の部分は、その下端面が開口している上、その上端面及び周面それぞれの一部に互いに連続して第１のごみ入れ開口１０Ａとなっている開口を有し、且つ前記下端面開口が上から台座１０１の上端縁と分離可能に結合している蓋１０２である。
【００１２】
第２の本体２０も自身の軸線が直立状態になっている筒状のものであるが、第１の本体１０の筒内に内嵌されてそれと互いに同軸に回転可能な入れ子関係となっている。
【００１３】
図面を更に詳しくみると、第２の本体２０における上端面及び周面それぞれの一部に互いに連続して第２のごみいれ開口２０Ａとなっている開口を有し、この第２のごみ入れ開口２０Ａは、第１の本体１０と第２の本体２０との同軸回転により第１のごみいれ開口１０Ａとほぼ一致し得るようになっている。
【００１４】
また、図示されるように、第１の本体１０における蓋１０２の上端面にハウジング５０が蓋１０２の周縁から蓋１０２の上端面の中心過ぎに伸びるように設けられる。モータ３０は、このハウジング５０内に収納され、センサー４０はこのハウジング５０内から上へ突出している。
【００１５】
より詳細に説明すると、モータ３０は、ハウジング５０内の蓋１０２の上端面の中心近くで、その回転軸３１が下方へハウジング５０内の底面（即ち蓋１０２の上端面）にあるスルーホール５０１と第２の本体２０の上端面の中心近くに形成してあるスルーホール２０１とを貫通して突出してからピン３２によりロックされ、第２の本体２０と繋がるように設置されている。それにより、モータ３０が始動すると、第２の本体２０はモータ３０により駆動されて第１の本体１０の筒内で回転することができる。なお、本例においては、ハウジング５０には更に上蓋５１が付いているが、この上蓋５１の面上にスルーホール５１０が形成され、センサー４０がここから突出している。これにより、センサー４０は筒外の状況を感知することができる。
【００１６】
また、モータ３０とセンサー４０との電気的な連結は、従来から知られているものであるが、センサー４０が、所定距離内へ人の接近を感知し、且つその感知によりモータ３０が始動して第２の本体２０を元の第１位置（図３に示すような閉状態）から第２の本体２０の第２のごみ入れ開口２０Ａが第１の本体１０の第１のごみ入れ開口１０Ａと互いに重なる第２位置（図４に示すような開状態）まで回転し、または、モータ３０が前記のように始動して第２の本体２０を第２位置（開状態）まで回転した状態で、所定距離内への人の接近が無くなってから所定時間経つと、再び始動し、第２の本体２０を回転させて元の第１位置（閉状態）まで戻すことができるように構成されている。
【００１７】
図５は本考案の自動開閉型ごみ箱の他の実施例の分解斜視図である。図示のように、この例の自動開閉型ごみ箱２００は、主として、第１の本体６０と、第２の本体７０と、モータ８０と、センサー９０と、からなっている。
【００１８】
第１の本体６０は、自身の軸線が直立状態になって台座となっている筒状のものであって、自身の上端面及び周面それぞれの一部に互いに連続して第１のごみ入れ開口６０Ｂとなっている開口を有する。第２の本体７０も自身の軸線が直立状態になっている筒状のものであるが、自身の下端面が開口している上、自身の上端面及び周面それぞれの一部に互いに連続して第２のごみ入れ開口７０Ｂとなっている開口を有する。
【００１９】
なお、第２の本体７０は、前記下端面開口により上から第１の本体６０の上端縁に、該第１の本体６０と同軸に回転でき、且つ、第２のごみ入れ開口７０Ｂが同軸回転により第１のごみいれ開口６０Ｂとほぼ一致することができるような関係となるように外嵌されている。
【００２０】
また、図示されるように、第１の本体６０の上端面に凹槽が上端面の周縁から中心過ぎに伸びるように形成されている。モータ８０は、この凹槽内の前記上端面の中心近くに収納されており、且つその回転軸８１が上方へ第２の本体７０の上端面の中心近くに形成してあるスルーホール７０２を貫通して突出してからピン８２によりロックされ、第２の本体７０と繋がっている。これにより、モータ８０が始動すると、第２の本体７０はモータ８０によって駆動されて第１の本体６０の筒外の上方に回転することができる。なお、センサー９０は第２の本体７０の外からその上端面に回転軸８１の突出端を遮蔽するように設置されている。これにより、センサー９０は筒外の状況を感知することができる。
【００２１】
また、モータ８０とセンサー９０との電気的な連結は、従来から知られているものであるが、センサー９０が、所定距離内へ人の接近を感知し、且つその感知によりモータ８０が始動して第２の本体７０を元の第１位置（閉状態）から第２の本体７０の第２のごみ入れ開口７０Ｂが第１の本体６０の第１のごみ入れ開口６０Ｂと互いに重なる第２位置（開状態）まで回転し、または、モータ８０が前記のように始動して第２の本体７０を第２位置（開状態）まで回転させた状態で、所定距離内への人の接近が無くなってから所定時間経つと、再び始動し、第２の本体７０を回転させて元の第１位置（閉状態）まで戻すことができるように構成されている。
【産業上の利用可能性】
【００２２】
本考案の自動開閉型ごみ箱は、互いに回転可能な入れ子管関係となっている第１の本体と第２の本体とが互いに重なっている部分にそれぞれ形成してあるごみ入れ開口が互いに重なるか否かにより開閉するので、従来のような“てこ”型蓋がなく、自身の軸などに掛かる荷重はてこの作用で増大しない。
【００２３】
従って、本考案によれば、ごみ箱を非接触で開閉でき、ごみを捨てる際に便利であるとともに、使用者の手も汚さないごみ箱を提供することができるばかりでなく、この自動開閉型ごみ箱の自動開閉に係わる部材ないしモータを損傷し難くさせ、丈夫で長期的に使用し得るものをも提供することができる。
【図面の簡単な説明】
【００２４】
【図１】本考案の自動開閉型ごみ箱の一実施例の分解斜視図である。
【図２】異なる視角からみた同自動開閉型ごみ箱の分解斜視図である。
【図３】同自動開閉型ごみ箱の閉状態を示す斜視図である。
【図４】同自動開閉型ごみ箱の開状態を示す斜視図である。
【図５】本考案の自動開閉型ごみ箱の他の実施例の分解斜視図である。
【符号の説明】
【００２５】
１００  自動開閉型ごみ箱
２００  自動開閉型ごみ箱
１０  第１の本体
１０Ａ  第１のごみ入れ開口
１０１  台座
１０２  蓋
２０  第２の本体
２０Ａ  第２のごみ入れ開口
２０１  スルーホール
３０  モータ
３１  回転軸
３２  ピン
４０  センサー
５０  ハウジング
５１  上蓋
５１０  スルーホール
６０  第１の本体
６０Ｂ  第１のごみ入れ開口
７０  第２の本体
７０Ｂ  第２のごみ入れ開口
７０２  スルーホール
８０  モータ
８１  回転軸
８２  ピン
９０  センサー
【図１】
0003125932.tif 000003
【図２】
0003125932.tif 000004
【図３】
0003125932.tif 000005
【図４】
0003125932.tif 000006
【図５】
0003125932.tif 000007